(57)【特許請求の範囲】
【請求項１】
制御モジュールと、
電圧モジュールと、
表示パネルと、からなるＡＭＯＬＥＤ駆動装置であって、
前記制御モジュールは、
シーケンス制御ユニットと、
データ出力ユニットと、
黒画面出力ユニットと、
データ出力選択ユニットと、を備え、
前記電圧モジュールは、
Ｇａｍｍａ等の電圧ユニットと、
ＯＬＥＤ駆動電圧ユニットと、を備え、
前記シーケンス制御ユニットは、低圧差動信号からのクロック信号と有効表示データストローブ信号を受信し、
前記シーケンス制御ユニットは、さらに、前記クロック信号と前記有効表示データストローブ信号に基づいて、前記表示パネルにスキャン制御信号とデータ制御信号を送信し、
前記シーケンス制御ユニットは、さらに、フレーム制御信号を生成して、前記データ出力選択ユニットと前記ＯＬＥＤ駆動電圧ユニットとに前記フレーム制御信号を送信し、
前記データ出力ユニットは、前記低圧差動信号からの正常映像信号を受信し、
前記データ出力ユニットと前記黒画面出力ユニットとが前記データ出力選択ユニットにそれぞれ前記正常映像信号と黒画面信号を入力し、
前記データ出力選択ユニットは、前記フレーム制御信号に基づいて、前記表示パネルにデータ信号として前記正常映像信号または黒画面信号を出力し、
前記表示パネルは、複数の配列分布した画素構造を備え、
各前記画素構造は、
第１トランジスタと、
第２トランジスタと、
保持コンデンサと、
有機発光ダイオードと、を備え、
前記第１トランジスタのドレイン電極は前記データ信号を受信し、グリッド電極は、前記スキャン制御信号に基づいてスキャン駆動回路から出力されるスキャン信号を受信し、ソース電極は前記第２トランジスタのグリッド電極に電気接続され、
前記第２トランジスタのドレイン電極は前記電源正電位に電気接続され、ソース電極は前記有機発光ダイオードの正極に電気接続され、
前記有機発光ダイオードの負極は前記電源負電位に電気接続され、
前記フレーム制御信号が高レベルの時、前記データ出力選択ユニットは、前記表示パネルに前記データ信号として前記正常映像信号を出力し、
前記フレーム制御信号が低レベルの時、前記データ出力選択ユニットは、前記表示パネルに前記データ信号として前記黒画面信号を出力し、
フレームが正常映像信号を出力する時、隣り合う次のフレームは、黒画面を出力し、
前記シーケンス制御ユニットが生成する前記フレーム制御信号は、さらに前記ＯＬＥＤ駆動電圧ユニットを制御し、
前記ＯＬＥＤ駆動電圧ユニットは、前記有機発光ダイオードに電源正電位と電源負電位を提供し、
前記フレーム制御信号が高レベルで、前記データ出力選択ユニットが前記正常映像信号を出力する時、前記電源負電位と前記ＯＬＥＤ駆動電圧ユニットが出力する所定の負電位は接続され、
前記フレーム制御信号が低レベルで、前記データ出力選択ユニットが前記黒画面信号を出力する時、前記電源負電位と前記ＯＬＥＤ駆動電圧ユニットが出力する所定の正電位は接続され、
前記所定の正電位は、前記電源正電位より高い
ことを特徴とするＡＭＯＬＥＤ駆動装置。
【請求項２】
請求項１に記載のＡＭＯＬＥＤ駆動装置において、
前記ＡＭＯＬＥＤ駆動装置の入力周波数は６０ＨＺであり、出力周波数は１２０ＨＺまで上がる
ことを特徴とするＡＭＯＬＥＤ駆動装置。
【請求項３】
請求項１に記載のＡＭＯＬＥＤ駆動装置において、
前記Ｇａｍｍａ等の電圧ユニットは、スキャン駆動回路とデータ駆動回路が必要とする電圧を提供する
ことを特徴とするＡＭＯＬＥＤ駆動装置。
【請求項４】
請求項１に記載のＡＭＯＬＥＤ駆動装置において、
隣り合う２枚のフレームにおいて、データ信号は、前記正常映像信号と前記黒画面信号とで交互に入れ替わる
ことを特徴とするＡＭＯＬＥＤ駆動装置。
【請求項５】
請求項１に記載のＡＭＯＬＥＤ駆動装置において、
隣り合う２枚のフレームにおいて、前記電源正電位と前記電源負電位の位相は反対である
ことを特徴とするＡＭＯＬＥＤ駆動装置。
【請求項６】
制御モジュールと、
電圧モジュールと、
表示パネルと、からなるＡＭＯＬＥＤ駆動装置の駆動方法であって、
前記制御モジュールは、
シーケンス制御ユニットと、
データ出力ユニットと、
黒画面出力ユニットと、
データ出力選択ユニットと、を備え、
前記電圧モジュールは、
Ｇａｍｍａ等の電圧ユニットと、
ＯＬＥＤ駆動電圧ユニットと、を備え、
前記シーケンス制御ユニットは、低圧差動信号からのクロック信号と有効表示データストローブ信号を受信し、
前記シーケンス制御ユニットは、さらに、前記クロック信号と前記有効表示データストローブ信号に基づいて、前記表示パネルにスキャン制御信号とデータ制御信号を送信し、
前記シーケンス制御ユニットは、さらに、フレーム制御信号を生成して、前記データ出力選択ユニットと前記ＯＬＥＤ駆動電圧ユニットとに前記フレーム制御信号を送信し、
前記データ出力ユニットは、前記低圧差動信号からの正常映像信号を受信し、
前記データ出力ユニットと前記黒画面出力ユニットとが前記データ出力選択ユニットにそれぞれ前記正常映像信号と黒画面信号を入力し、
前記データ出力選択ユニットは、前記フレーム制御信号に基づいて、前記表示パネルにデータ信号として前記正常映像信号または黒画面信号を出力し、
前記表示パネルは、複数の配列分布した画素構造を備え、
各前記画素構造は、
第１トランジスタと、
第２トランジスタと、
保持コンデンサと、
有機発光ダイオードと、を備え、
前記第１トランジスタのドレイン電極は前記データ信号を受信し、グリッド電極は、前記スキャン制御信号に基づいてスキャン駆動回路から出力されるスキャン信号を受信し、ソース電極は前記第２トランジスタのグリッド電極に電気接続され、
前記第２トランジスタのドレイン電極は前記電源正電位に電気接続され、ソース電極は前記有機発光ダイオードの正極に電気接続され、
前記有機発光ダイオードの負極は前記電源負電位に電気接続され、
前記フレーム制御信号が高レベルの時、前記データ出力選択ユニットは、前記表示パネルに前記データ信号として前記正常映像信号を出力し、
前記フレーム制御信号が低レベルの時、前記データ出力選択ユニットは、前記表示パネルに前記データ信号として前記黒画面信号を出力し、
フレームが正常映像信号を出力する時、隣り合う次のフレームは、黒画面を出力し、
前記シーケンス制御ユニットが生成する前記フレーム制御信号は、さらに前記ＯＬＥＤ駆動電圧ユニットを制御し、
前記ＯＬＥＤ駆動電圧ユニットは、前記有機発光ダイオードに電源正電位と電源負電位を提供し、
前記フレーム制御信号が高レベルで、前記データ出力選択ユニットが前記正常映像信号を出力する時、前記電源負電位と前記ＯＬＥＤ駆動電圧ユニットが出力する所定の負電位は接続され、
前記フレーム制御信号が低レベルで、前記データ出力選択ユニットが前記黒画面信号を出力する時、前記電源負電位と前記ＯＬＥＤ駆動電圧ユニットが出力する所定の正電位は接続され、
前記所定の正電位は、前記電源正電位より高い
ことを特徴とするＡＭＯＬＥＤ駆動装置の駆動方法。
【発明の詳細な説明】
【技術分野】
【０００１】
本発明は、ディスプレイの技術分野に関し、特に、ＡＭＯＬＥＤ駆動装置及び駆動方法に関する。
【背景技術】
【０００２】
フラットパネルディスプレイ装置は、機体が薄い、省エネ、放射線が出ない等の多くの長所を備え、広く使用されている。従来のフラットパネルディスプレイ装置は、主に液晶ディスプレイ（Ｌｉｑｕｉｄ  Ｃｒｙｓｔａｌ  Ｄｉｓｐｌａｙ，ＬＣＤ）及び有機発光ダイオード表示装置（Ｏｒｇａｎｉｃ  Ｌｉｇｈｔ  Ｅｍｉｔｔｉｎｇ  Ｄｉｓｐｌａｙ，ＯＬＥＤ）からなる。
【０００３】
有機発光ダイオード表示装置は、自発光、バックライトが不要、高コントラスト、厚みが薄い、視角が広い、反応速度が速い、フレキシブルパネルに利用できる、使用温度の範囲が広い、構造及び製造プロセスが比較的簡単等の優位性を備えるため、次世代のフラットパネルディスプレイ装置の新興応用技術であるとみなされている。
【０００４】
ＯＬＥＤは、駆動方式によりパッシブマトリクス型（ＰＭＯＬＥＤ）とアクティブマトリクス型（ＡＭＯＬＥＤ）とに分類される。ＡＭＯＬＥＤは、アクティブ表示型に属し、その表示パネルに配列分布した画素構造を有する。
【０００５】
ＡＭＯＬＥＤの画像構造は、一般的に２つのトランジスタを１つの保持コンデンサに組み合わせることによって電荷を保持し、有機発光ダイオードの輝度表現を制御する。有機発光ダイオードは、電流駆動部であり、流れる電流の大きさの違いに基づいて異なる明るさの光線を生成する。
【０００６】
図１は、ＡＭＯＬＥＤの画素構造を示した図である。前記画素構造は駆動部と発光部からなり、そのうち駆動部は第１トランジスタＴ１と、第２トランジスタＴ２と、保持コンデンサＣＳとを備え、発光部は有機発光ダイオードＤを備える。第１トランジスタＴ１のドレイン電極はデータ信号Ｄａｔａを受信し、グリッド電極はスキャン信号Ｓｃａｎを受信し、ソース電極は第２トランジスタＴ２のグリッド電極に電気接続され、スキャン信号Ｓｃａｎは第１トランジスタＴ１の導通を制御する。第２トランジスタＴ２のドレイン電極は電源正電位ＯＶＤＤに電気接続され、ソース電極は有機発光ダイオードＤの正極に電気接続される。有機発光ダイオードＤの負極は電源負電位ＯＶＳＳに電気接続される。コンデンサＣＳの一端は第２トランジスタＴ２のグリッド電極に電気接続され、他端は第２トランジスタＴ２のドレイン電極に電気接続される。
【０００７】
従来のＡＭＯＬＥＤ駆動装置を採用して駆動する時、隣り合う２枚の正常画面は、順番に表示される。スキャン信号Ｓｃａｎが低レベル信号である時、第１トランジスタＴ１は切断され、保持コンデンサＣＳの両端の電圧が第１トランジスタＴ１から放電されないようにする。理論上、保持コンデンサＣＳの両端の電圧は変化せず、第２トランジスタＴ２は、有機発光ダイオードＤを次のデータ信号Ｄａｔａが来るまで発光させ続ける。このように循環することで、表示されているデータ信号が１つ前のデータ信号によって妨害を受けやすく、残像表示という欠陥が見られる上、同じ画面を表示する時間が長くなると、第２トランジスタＴ２の闘値電圧が偏移してしまう。
【発明の概要】
【発明が解決しようとする課題】
【０００８】
本発明は、残像表示の欠陥を防止し、同じ画面を表示する時間が長くなると、第２トランジスタの闘値電圧が偏移してしまう問題を解決するＡＭＯＬＥＤ駆動装置を提供することを目的とする。
【０００９】
本発明は、さらに、残像表示の欠陥を防止し、同じ画面を表示する時間が長くなると、第２トランジスタの闘値電圧が偏移してしまう問題を解決するＡＭＯＬＥＤの駆動方法を提供することを目的とする。
【課題を解決するための手段】
【００１０】
上述の目的を達成するために、まず、本発明は、制御モジュールと、電圧モジュールと、表示パネルと、からなるＡＭＯＬＥＤ駆動装置を提供する。前記制御モジュールは、シーケンス制御ユニットと、データ出力ユニットと、黒画面出力ユニットと、データ出力選択ユニットとを備える。前記電圧モジュールは、Ｇａｍｍａ等の電圧ユニットとＯＬＥＤ駆動電圧ユニットを備える。
【００１１】
前記表示パネルは、複数の配列分布した画素構造を備え、各画素構造は、第１トランジスタと、第２トランジスタと、保持コンデンサと、有機発光ダイオードを備える。
【００１２】
前記シーケンス制御ユニットは、フレーム制御信号を生成し、データ出力選択ユニットを制御する。フレーム制御信号が高レベルの時、前記データ出力選択ユニットは、表示パネルに正常映像信号を出力する。フレーム制御信号が低レベルの時、前記データ出力選択ユニットは、表示パネルに黒画面を出力する。フレームが正常映像信号を出力する時、隣り合う次のフレームは、黒画面を出力する。
【００１３】
前記シーケンス制御ユニットが生成するフレーム制御信号は、さらにＯＬＥＤ駆動電圧ユニットを制御し、前記ＯＬＥＤ駆動電圧ユニットは、有機発光ダイオードに電源正電位と電源負電位を提供する。前記フレーム制御信号が高レベルで、正常映像信号を出力する時、前記電源負電位部とＯＬＥＤ駆動電圧ユニットが出力する所定の負電位部は接続される。前記フレーム制御信号が低レベルで、黒画面を出力する時、電源負電位部とＯＬＥＤ駆動電圧ユニットが出力する所定の正電位部は接続される。前記所定の正電位は、電源正電位より高い。
【００１４】
前記ＡＭＯＬＥＤ駆動装置の入力周波数は、６０ＨＺであり、出力周波数は、１２０ＨＺまで上がる。
【００１５】
前記Ｇａｍｍａ等の電圧ユニットは、スキャン駆動回路とデータ駆動回路が必要とする電圧を提供する。
【００１６】
前記シーケンス制御ユニットは、さらにスキャン制御信号とデータ制御信号を生成する。
【００１７】
前記シーケンス制御ユニットは、低圧差動信号からのクロック信号と有効表示データストローブ信号を受信する。前記データ出力ユニットは、低圧差動信号からの正常映像信号を受信する。
【００１８】
前記第１トランジスタのドレイン電極はデータ信号を受信し、グリッド電極はスキャン信号を受信し、ソース電極は第２トランジスタのグリッド電極に電気接続される。前記第２トランジスタのドレイン電極は電源正電位に電気接続され、ソース電極は有機発光ダイオードの正極に電気接続される。有機発光ダイオードの負極は電源負電位に電気接続される。コンデンサの一端は第２トランジスタのグリッド電極に電気接続され、他端は第２トランジスタのドレイン電極に電気接続される。
【００１９】
隣り合う２枚のデータ信号は、正常映像信号と黒画面信号が交互に入れ替わる。
【００２０】
隣り合う２枚のフレームにおいて、前記電源正電位と電源負電位の位相は反対である。
【００２１】
本発明は、さらに以下の特徴を備えるＡＭＯＬＥＤ駆動方法を提供する。
【００２２】
手順１は、制御モジュールと、電圧モジュールと、表示パネルを提供する。前記制御モジュールに低圧差動信号を入力する。
【００２３】
前記制御モジュールは、シーケンス制御ユニットと、データ出力ユニットと、黒画面出力ユニットと、データ出力選択ユニットを備える。前記電圧モジュールは、Ｇａｍｍａ等の電圧ユニットとＯＬＥＤ駆動電圧ユニットを備える。
【００２４】
入力周波数は、６０ＨＺである。
【００２５】
手順２は、手順１によって入力された低圧差動信号が、シーケンス制御ユニットにクロック信号と有効表示データストローブ信号を送信し、データ出力ユニットに正常映像信号を送信する。
【００２６】
手順３は、前記シーケンス制御ユニットがクロック信号と有効表示データストローブ信号を受信した後、表示パネルにスキャン制御信号とデータ制御信号を送信し、データ出力選択ユニットとＯＬＥＤ駆動電圧ユニットにフレーム制御信号を送信する。
【００２７】
手順４は、前記データ出力選択ユニットが受信したフレーム制御信号に基づいて、表示パネルに正常映像信号と黒画面信号を交互に出力する。出力周波数は、１２０ＨＺまで上がる。
【００２８】
前記ＯＬＥＤ駆動電圧ユニットは、受信したフレーム制御信号に基づいて、有機発光ダイオードの電源負電位が、所定の負電位と所定の正電位に交互に切り替わり接続されるのを制御する。前記所定の正電位は、電源正電位より高い。
【００２９】
本発明は、さらに、制御モジュールと、電圧モジュールと、表示パネルと、からなるＡＭＯＬＥＤ駆動装置を提供する。前記制御モジュールは、シーケンス制御ユニットと、データ出力ユニットと、黒画面出力ユニットと、データ出力選択ユニットとを備える。前記電圧モジュールは、Ｇａｍｍａ等の電圧ユニットとＯＬＥＤ駆動電圧ユニットを備える。
【００３０】
前記表示パネルは、複数の配列分布した画素構造を備え、各画素構造は、第１トランジスタと、第２トランジスタと、保持コンデンサと、有機発光ダイオードを備える。
【００３１】
前記シーケンス制御ユニットは、フレーム制御信号を生成し、データ出力選択ユニットを制御する。フレーム制御信号が高レベルの時、前記データ出力選択ユニットは、表示パネルに正常映像信号を出力する。フレーム制御信号が低レベルの時、前記データ出力選択ユニットは、表示パネルに黒画面を出力する。フレームが正常映像信号を出力する時、隣り合う次のフレームは、黒画面を出力する。
【００３２】
前記シーケンス制御ユニットが生成するフレーム制御信号は、さらにＯＬＥＤ駆動電圧ユニットを制御し、前記ＯＬＥＤ駆動電圧ユニットは、有機発光ダイオードに電源正電位と電源負電位を提供する。前記フレーム制御信号が高レベルで、正常映像信号を出力する時、前記電源負電位部とＯＬＥＤ駆動電圧ユニットが出力する所定の負電位部は接続される。前記フレーム制御信号が低レベルで、黒画面を出力する時、電源負電位部とＯＬＥＤ駆動電圧ユニットが出力する所定の正電位部は接続される。前記所定の正電位は、電源正電位より高い。
【００３３】
そのうち、前記ＡＭＯＬＥＤ駆動装置の入力周波数は、６０ＨＺであり、出力周波数は、１２０ＨＺまで上がる。
【００３４】
そのうち、前記第１トランジスタのドレイン電極はデータ信号を受信し、グリッド電極はスキャン信号を受信し、ソース電極は第２トランジスタのグリッド電極に電気接続される。前記第２トランジスタのドレイン電極は電源正電位に電気接続され、ソース電極は有機発光ダイオードの正極に電気接続される。有機発光ダイオードの負極は電源負電位に電気接続される。コンデンサの一端は第２トランジスタのグリッド電極に電気接続され、他端は第２トランジスタのドレイン電極に電気接続される。
【００３５】
そのうち、隣り合う２枚のデータ信号は、正常映像信号と黒画面信号が交互に入れ替わる。
【発明の効果】
【００３６】
本発明が提供するＡＭＯＬＥＤ駆動装置とＡＭＯＬＥＤの駆動方法は、シーケンス制御ユニットによってフレーム制御信号を生成し、前記フレーム制御信号を利用して１つのフレームが正常な映像を出力し、もう１つのフレームが黒画面を出力するよう制御し、黒画面を出力する時、１つ前の保持コンデンサに放電することで、残像表示の欠陥を防止することができる。同時に、黒画面が出力される間、フレーム制御信号はＯＬＥＤ駆動電圧ユニットを制御し、所定の正電位部から電源負電位に切り換えて接続することによって、第２トランジスタのグリッド電極とソース電極は逆バイアスされ、効果的に第２トランジスタの闘値電圧の偏移を抑制することができる。
【図面の簡単な説明】
【００３７】
以下に図と組み合わせて、本発明の具体的な実施方法を詳述することによって、本発明の技術案及びその他の有利な効果をさらに明らかにする。
【図１】ＡＭＯＬＥＤの画素構造を示した図である。
【図２】本発明のＡＭＯＬＥＤ駆動装置を示した図である。
【図３】本発明のＡＭＯＬＥＤ駆動装置の信号波形図である。
【図４】本発明のＡＭＯＬＥＤ駆動装置の各フレーム表示画面を示した図である。
【図５】本発明のＡＭＯＬＥＤ駆動装置のフローチャートである。
【発明を実施するための形態】
【００３８】
本発明が採用した技術手段及びその効果をさらに詳しく説明するため、以下に本発明の好ましい実施例及び図を添えて詳細する。
【００３９】
同時に、図１と図２を参照する。本発明は、制御モジュール１と、電圧モジュール２と、表示パネル３と、からなるＡＭＯＬＥＤ駆動装置を提供する。制御モジュール１は、シーケンス制御ユニット１１と、データ出力ユニット１２と、黒画面出力ユニット１３と、データ出力選択ユニット１４とを備える。電圧モジュール２は、Ｇａｍｍａ等の電圧ユニット２１とＯＬＥＤ駆動電圧ユニット２２を備える。
【００４０】
表示パネル３は、複数の配列分布した画素構造を備え、各画素構造は、第１トランジスタＴ１と、第２トランジスタＴ２と、保持コンデンサＣＳと、有機発光ダイオードＤを備える。第１トランジスタＴ１のドレイン電極はデータ信号Ｄａｔａを受信し、グリッド電極はスキャン信号Ｓｃａｎを受信し、ソース電極は第２トランジスタＴ２のグリッド電極に電気接続される。第２トランジスタＴ２のドレイン電極は電源正電位ＯＶＤＤに電気接続され、ソース電極は有機発光ダイオードＤの正極に電気接続される。有機発光ダイオードＤの負極は電源負電位ＯＶＳＳに電気接続される。コンデンサＣＳの一端は第２トランジスタＴ２のグリッド電極に電気接続され、他端は第２トランジスタＴ２のドレイン電極に電気接続される。
【００４１】
シーケンス制御ユニット１１は、フレーム制御信号Ｆｒａｍｅ＿ｃｔｒを生成し、データ出力選択ユニット１４を制御する。データ出力選択ユニット１４は、フレーム制御信号Ｆｒａｍｅ＿ｃｔｒに基づいて表示パネル３に正常映像信号ＤＡＴＡまたは黒画面を出力し、１つのフレームが正常映像信号ＤＡＴＡを出力する時、隣り合う次のフレームは、黒画面を出力する。さらに、図４を合わせて参照する。
フレーム制御信号Ｆｒａｍｅ＿ｃｔｒが高レベルの時、データ出力選択ユニット１４は、表示パネル３に正常映像信号ＤＡＴＡを出力する。フレーム制御信号Ｆｒａｍｅ＿ｃｔｒが低レベルの時、データ出力選択ユニット１４は、表示パネル３に黒画面を出力する。
【００４２】
シーケンス制御ユニット１１が生成するフレーム制御信号Ｆｒａｍｅ＿ｃｔｒは、さらにＯＬＥＤ駆動電圧ユニット２２を制御する。具体的には、ＯＬＥＤ駆動電圧ユニット２２は、有機発光ダイオードＤに電源正電位ＯＶＤＤと電源負電位ＯＶＳＳを提供する。フレーム制御信号Ｆｒａｍｅ＿ｃｔｒが高レベルで、正常映像信号ＤＡＴＡを出力する時、電源負電位部ＯＶＳＳとＯＬＥＤ駆動電圧ユニット２２が出力する所定の負電位ＶＳＳは接続される。フレーム制御信号Ｆｒａｍｅ＿ｃｔｒが低レベルで、黒画面を出力する時、電源負電位部ＯＶＳＳとＯＬＥＤ駆動電圧ユニット２２が出力する所定の正電位ＶＤＤは接続される。所定の正電位ＶＤＤは、電源正電位ＯＶＤＤより高い。
【００４３】
さらに、１つのフレームが正常映像信号ＤＡＴＡを出力するために、その隣り合う次のフレームが黒画面を出力し、正常映像信号と黒画面を交互に出力することによって黒挿入効果が得られる。前記ＡＭＯＬＥＤ駆動装置の入力周波数は６０ＨＺであり、出力周波数は１２０ＨＺまで上がることによって、黒挿入フレームが肉眼では見えなくなる。黒画面を挿入することによって、黒画面を出力する時、１つ前のフレームの保持コンデンサＣＳを放電することによって、表示されているデータ信号が１つ前のデータ信号によって妨害される問題が解決される。
【００４４】
同時に、黒画面が出力される間、フレーム制御信号Ｆｒａｍｅ＿ｃｔｒがＯＬＥＤ駆動電圧ユニット２２を制御し、所定の正電位ＶＤＤから電源負電位ＯＶＳＳに切り換えて接続することによって、第２トランジスタＴ２のグリッド電極とソース電極は逆バイアスされ、効果的に第２トランジスタＴ２の闘値電圧の偏移を抑制することができる。
【００４５】
図３を参照する。隣り合う２枚のフレームにおいて、電源正電位ＯＶＤＤと電源負電位ＯＶＳＳの位相は反対であり、正常映像信号を出力する時、電源正電位ＯＶＤＤは電源負電位ＯＶＳＳより高く、黒画面を出力する時、電源正電位ＯＶＤＤは電源負電位ＯＶＳＳより低いため、黒画面を出力する間、第２トランジスタＴ２のグリッド電極とソース電極は逆バイアスされ、第２トランジスタＴ２の闘値電圧の偏移を抑制することができる。
【００４６】
図４を参照する。隣り合う２つのフレーム間のデータ信号Ｄａｔａは、正常映像信号ＤＡＴＡと黒画面信号が交互に入れ替わり、フレーム制御信号Ｆｒａｍｅ＿ｃｔｒが制御することによって、変化しない原２ＴＩＣ画素構造の基礎において黒挿入を行うことができ、表示されているデータ信号が１つ前のデータ信号によって妨害される問題が解決され、残像表示の欠陥の発生を防ぐことができる。
【００４７】
最後に、Ｇａｍｍａ等の電圧ユニット２１は、スキャン駆動回路とデータ駆動回路が必要とする電圧を提供する。シーケンス制御ユニット１１は、さらにスキャン制御信号とデータ制御信号を生成する。シーケンス制御ユニット１１は、低圧差動信号ＬＶＤＳからのクロック信号ＣＬＫと有効表示データストローブ信号ＤＥを受信する。データ出力ユニット１２は、低圧差動信号ＬＶＤＳからの正常映像信号ＤＡＴＡを受信する。
【００４８】
図１から図４と組み合わせて、図５を参照する。本発明は、さらに以下の手順からなるＡＭＯＬＥＤ駆動方法を提供する。
【００４９】
手順１は、制御モジュール１と、電圧モジュール２と、表示パネル３を提供する。制御モジュール１に低圧差動信号ＬＶＤＳを入力する。
【００５０】
制御モジュール１は、シーケンス制御ユニット１１と、データ出力ユニット１２と、黒画面出力ユニット１３と、データ出力選択ユニット１４を備える。電圧モジュール２は、Ｇａｍｍａ等の電圧ユニット２１とＯＬＥＤ駆動電圧ユニット２２を備える。
【００５１】
入力周波数は、６０ＨＺである。
【００５２】
手順２は、手順１によって入力された低圧差動信号ＬＶＤＳが、シーケンス制御ユニット１１にクロック信号ＣＬＫと有効表示データストローブ信号ＤＥを送信し、データ出力ユニット１２に正常映像信号ＤＡＴＡを送信する。
【００５３】
手順３は、シーケンス制御ユニット１１がクロック信号ＣＬＫと有効表示データストローブ信号ＤＥを受信した後、表示パネル３にスキャン制御信号とデータ制御信号を送信するとともに、データ出力選択ユニット１４とＯＬＥＤ駆動電圧ユニット２２にフレーム制御信号Ｆｒａｍｅ＿ｃｔｒを送信する。
【００５４】
手順４は、データ出力選択ユニット１４が受信したフレーム制御信号Ｆｒａｍｅ＿ｃｔｒに基づいて、表示パネル３に正常映像信号ＤＡＴＡと黒画面信号を交互に出力する。出力周波数は１２０ＨＺまで上がる。
【００５５】
ＯＬＥＤ駆動電圧ユニット２２は、受信したフレーム制御信号Ｆｒａｍｅ＿ｃｔｒに基づいて、電源負電位ＯＶＳＳが、所定の負電位ＶＳＳと所定の正電位ＶＤＤに交互に切り替わり接続されるのを制御する。所定の正電位ＤＶＶは、電源正電位ＶＤＤより高い。
【００５６】
前記ＡＭＯＬＥＤの駆動方法は、データ出力ユニット１２と黒画面出力ユニット１３がデータ出力選択ユニット１４にそれぞれ正常映像信号ＤＡＴＡと黒画面信号を入力し、データ出力選択ユニット１４は受信した異なるフレーム制御信号Ｆｒａｍｅ＿ｃｔｒに基づいて表示パネル３に正常映像信号ＤＡＴＡと黒画面を交互に出力することによって、変化しない画素構造の基礎において、出力周波数を上げることによって黒挿入を行うことができる。黒挿入を行い、黒画面を出力する時に１つ前の保持コンデンサＣＳを放電することによって、表示されているデータ信号が１つ前のデータ信号によって妨害される問題が解決され、残像表示の欠陥の発生を防ぐことができる。同時に、黒画面が出力される間、フレーム制御信号Ｆｒａｍｅ＿ｃｔｒはＯＬＥＤ駆動電圧ユニット２２を制御し、所定の正電位ＶＤＤから電源負電位ＯＶＳＳに切り換えて接続することによって、第２トランジスタＴ２のグリッド電極とソース電極は逆バイアスされ、効果的に第２トランジスタＴ２の闘値電圧の偏移を抑制することができる。
【００５７】
要約すると、本発明のＡＭＯＬＥＤ駆動装置とＡＭＯＬＥＤの駆動方法は、シーケンス制御ユニットによってフレーム制御信号を生成し、前記フレーム制御信号を利用して１つのフレームが正常な映像を出力し、もう１つのフレームが黒画面を出力するよう制御し、黒画面を出力する時、１つ前の保持コンデンサに放電することで、残像表示の欠陥を防止することができる。同時に、黒画面が出力される間、フレーム制御信号はＯＬＥＤ駆動電圧ユニットを制御し、所定の正電位部から電源負電位に切り換えて接続することによって、第２トランジスタのグリッド電極とソース電極は逆バイアスされ、効果的に第２トランジスタの闘値電圧の偏移を抑制することができる。
【００５８】
上述は、本領域の一般の技術者からすると、本発明の技術案と技術構想に基づいてその他の各種対応する変化や変形を作り出すことができるため、変化や変形は全て本発明の特許請求範囲に属するものとする。
【符号の説明】
【００５９】
１    制御モジュール
２    電圧モジュール
３    表示パネル
１１  シーケンス制御ユニット
１２  データ出力ユニット
１３  黒画面出力ユニット
１４  データ出力選択ユニット
２１  Ｇａｍｍａ等の電圧ユニット
２２  ＯＬＥＤ駆動電圧ユニット
Ｔ１  第１トランジスタ
Ｔ２  第２トランジスタ
ＣＳ  保持コンデンサ
Ｄ    有機発光ダイオード
Ｄａｔａ  データ信号
Ｓｃａｎ  スキャン信号
ＯＶＤＤ  電源正電位
ＯＶＳＳ  電源負電位
Ｆｒａｍｅ＿ｃｔｒ  フレーム制御信号
ＤＡＴＡ  正常映像信号
ＶＤＤ    正電位
ＶＳＳ    負電位
ＬＶＤＳ  低圧差動信号
ＣＬＫ    クロック信号
ＤＥ      有効表示データストローブ信号
【図１】
0006570629.tif 000002
【図２】
0006570629.tif 000003
【図３】
0006570629.tif 000004
【図４】
0006570629.tif 000005
【図５】
0006570629.tif 000006